(57)【要約】【課題】液晶表示パネルと照明ユニットとを強固に固定することが可能な液晶表示装置を提供することを目的とする。【解決手段】液晶表示パネル２と、照明ユニット１５と、液晶表示パネル２と照明ユニット１５とを挟持するケース３０と、を備え、ケース３０は、第１主板３１Ａと、第１主板３１Ａを囲むように配置された複数の第１側板３１Ｂと、を有する第１ケース３１と、第１主板３１Ａとの間で液晶表示パネル２と照明ユニット１５とを挟む第２主板３２Ａと、第２主板３２Ａを囲むように配置され第１側板３１Ｂと対向する複数の第２側板３２Ｂと、を有する第２ケース３２と、を備え、少なくとも向かい合う第１側板３１Ｂは、穴部３０Ｈを有し、第２側板３２Ｂは、第１主板３１Ａから第２主板３２Ａに向かう方向に延びた舌状に形成されるとともに穴部３０Ｈに勘合する勘合部３０Ｔを有することを特徴とする。【選択図】      図５
2010204557.tif 000002
【特許請求の範囲】
【請求項１】
液晶表示パネルと、
前記液晶表示パネルを照明する照明ユニットと、
前記液晶表示パネルと前記照明ユニットとを挟持するケースと、を備え、
前記ケースは、
第１主板と、前記第１主板を囲むように配置された複数の第１側板と、を有する第１ケースと、
前記第１主板との間で前記液晶表示パネルと前記照明ユニットとを挟む第２主板と、前記第２主板を囲むように配置され前記第１側板と対向する複数の第２側板と、を有する第２ケースと、を備え、
少なくとも向かい合う前記第１側板は、穴部を有し、
前記第２側板は、前記第１主板から前記第２主板に向かう方向に延びた舌状に形成されるとともに前記穴部に勘合する勘合部を有することを特徴とする液晶表示装置。
【請求項２】
前記勘合部は、前記第１主板から前記第２主板に向かう方向に延びた舌状体を前記第２側板から切り起こすことによって形成されたことを特徴とする請求項１に記載の液晶表示装置。
【請求項３】
前記勘合部は、前記第２側板の前記第２主板から前記第１主板に向かう方向に延びた舌状体を前記第１主板から前記第２主板に向かう方向に折り返すことによって形成されたことを特徴とする請求項１に記載の液晶表示装置。
【請求項４】
前記勘合部の先端は、前記穴部から外側に向かって突出していることを特徴とする請求項１に記載の液晶表示装置。
【請求項５】
向かい合う前記第１側板は、それぞれ同数の前記穴部を有していることを特徴とする請求項１に記載の液晶表示装置。
【請求項６】
前記第１ケース及び前記第２ケースは、金属材料によって形成されたことを特徴とする請求項1に記載の液晶表示装置。
【発明の詳細な説明】
【技術分野】
【０００１】
この発明は、液晶表示装置に係り、特に、液晶表示パネルと照明ユニットとを挟持するケースを備えた液晶表示装置に関する。
【背景技術】
【０００２】
液晶表示装置としては、外光を選択的に反射して画像を表示する反射型や、バックライト光を選択的に透過して画像を表示する透過型、さらには、反射型及び透過型の両方の機能を兼ね備えた半透過型などのモジュールが開発されている。透過型や半透過型の液晶表示装置は、液晶表示パネル及び液晶表示パネルの背面側に配置された照明ユニット（すなわちバックライト）を備えて構成されている。
【０００３】
このような液晶表示装置に荷重や衝撃が加わると、比較的薄い液晶表示パネルや照明ユニットが破損してしまうことがある。液晶表示装置は、その剛性を向上させるために、例えば、液晶表示パネルの表示面側に取り付けたベゼルと照明ユニットの背面側に取り付けた底板とで挟持されている。
【０００４】
例えば、特許文献１によれば、光源装置を支持する金属筺体の底部の係合リセスに、液晶表示素子の周辺を覆う枠体の外周部に設けられたツメ状のフックを係合する構成が開示されている。
【特許文献１】特開２００３−１９５２６３号公報
【発明の開示】
【発明が解決しようとする課題】
【０００５】
上述したような構成においては、枠体に設けたフックが金属筐体の係合リセスに係合しているだけであり、落下などの衝撃によってフックが係合リセスからはずれてしまうことがある。
【０００６】
この発明は、上述した問題点に鑑みなされたものであって、その目的は、液晶表示パネルと照明ユニットとを強固に固定することが可能な液晶表示装置を提供することにある。
【課題を解決するための手段】
【０００７】
この発明の態様による液晶表示装置は、
液晶表示パネルと、
前記液晶表示パネルを照明する照明ユニットと、
前記液晶表示パネルと前記照明ユニットとを挟持するケースと、を備え、
前記ケースは、
第１主板と、前記第１主板を囲むように配置された複数の第１側板と、を有する第１ケースと、
前記第１主板との間で前記液晶表示パネルと前記照明ユニットとを挟む第２主板と、前記第２主板を囲むように配置され前記第１側板と対向する複数の第２側板と、を有する第２ケースと、を備え、
少なくとも向かい合う前記第１側板は、穴部を有し、
前記第２側板は、前記第１主板から前記第２主板に向かう方向に延びた舌状に形成されるとともに前記穴部に勘合する勘合部を有することを特徴とする。
【発明の効果】
【０００８】
この発明によれば、液晶表示パネルと照明ユニットとを強固に固定することが可能な液晶表示装置を提供することができる。
【発明を実施するための最良の形態】
【０００９】
以下、この発明の一実施の形態に係る液晶表示装置について図面を参照して説明する。ここでは、照明ユニットであるバックライトからのバックライト光を選択的に透過して画像を表示する透過型の液晶表示装置について説明する。
【００１０】
すなわち、図１及び図２に示すように、液晶表示装置１は、略矩形平板状の透過型の液晶表示パネル２と、この液晶表示パネル２を照明する照明ユニット１５と、液晶表示パネル２と照明ユニット１５とを挟持するケース３０と、を備えている。
【００１１】
この液晶表示パネル２は、一対の基板間に液晶層を保持することによって構成されている。すなわち、液晶表示パネル２は、略矩形状のアレイ基板３及び対向基板４と、これらのアレイ基板３と対向基板４との間に封入された液晶層５と、を備えている。アレイ基板３と対向基板４とは、図示しないシール材を介して貼り合わせられている。液晶表示パネル２は、シール材によって囲まれた内側に、画像を表示する略矩形状の表示領域６を備えている。この表示領域６は、マトリクス状に配置された複数の画素ＰＸによって構成されている。
【００１２】
アレイ基板３は、表示領域６において、複数の走査線Ｙ（１、２、…）、複数の信号線Ｘ（１、２、…）、各画素ＰＸに配置されたスイッチング素子７、各画素ＰＸのスイッチング素子７に接続された画素電極８などを備えている。画素電極８は、インジウム・ティン・オキサイド（ＩＴＯ）やインジウム・ジンク・オキサイド（ＩＺＯ）などの光透過性を有する導電材料によって形成されている。
【００１３】
各走査線Ｙは、画素ＰＸの行方向に沿って延出している。各信号線Ｘは、絶縁層を介して各走査線Ｙに互いに交差するように、画素ＰＸの列方向に沿って延出している。各スイッチング素子７は、走査線Ｙと信号線Ｘとの交差部を含む領域に配置されている。
【００１４】
画素電極８との間の電位差により液晶層５に電圧を印加するためのコモン電極９は、アレイ基板３に備えられても良いし、対向基板４に備えられても良い。すなわち、横電界（基板の主面にほぼ平行な電界）を主として利用する横電界モードでは、アレイ基板３は、画素電極８とは電気的に絶縁され且つ画素電極８に対向するコモン電極９を備えている。また、縦電界（基板の主面にほぼ垂直な電界）を主として利用する縦電界モードでは、対向基板４は、液晶層５を介して画素電極８に対向するコモン電極９を備えている。このようなコモン電極９は、画素電極８と同様に、光透過性を有する導電材料によって形成されている。
【００１５】
アレイ基板３及び対向基板４の液晶層５と接する面は、それぞれ図示しない配向膜によって覆われている。これらのアレイ基板３及び対向基板４は、図示しないスペーサ（例えば一方の基板に一体的に形成された柱状スペーサ）を介して、それぞれの配向膜を対向させた状態で貼り合わせられている。このとき、アレイ基板３と対向基板４との間には、スペーサによって所定のギャップが形成されている。液晶層５は、アレイ基板３と対向基板４とのギャップに封止された液晶組成物によって形成されている。
【００１６】
また、液晶表示パネル２において、アレイ基板３の外面及び対向基板４の外面には、それぞれ光学素子ＯＤ１及びＯＤ２が設けられている。これらの光学素子ＯＤ１及びＯＤ２は、液晶層５の特性に合わせて偏光方向を設定した偏光板を含んでいる。また、光学素子ＯＤ１及びＯＤ２は、必要に応じて位相差板を含んでいても良い。
【００１７】
カラー表示タイプの液晶表示装置では、液晶表示パネル２は、表示領域６において、複数種類の画素、例えば、赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板３または対向基板４の主面に配置される。
【００１８】
照明ユニット１５は、図２に示すように、光源２１、導光板２２、フレーム２３、光学シート２６などを備えている。
【００１９】
光源２１は、発光ダイオード（ＬＥＤ）や冷陰極管によって構成されている。
【００２０】
導光板２２は、光源２１からの出射光を液晶表示パネル２に向けて案内する機能を有している。この導光板２２は、例えば、アクリル系樹脂やポリカーボネート系樹脂などの光透過性を有する樹脂材料により形成されている。導光板２２は、その一端に肉薄部を有するとともに肉薄部に対向する他端に肉厚部を有する楔型のものや、全体に亘って略均一な厚さを有する平板型のものなどがあるが、この実施の形態では、矩形平板型のものを採用している。
【００２１】
この導光板２２は、液晶表示パネル２のアレイ基板３側に面する矩形状の第１主平面２２ａと、この第１主平面２２ａに対向した矩形状の第２主平面２２ｂと、これらの第１主平面２２ａと第２主平面２２ｂとを接続する４つの長方形状の端面とを有している。一端面２２ｃは、光源２１の発光面が対向する入射面として機能する。また、第１主平面２２ａは、液晶表示パネル２に向けて光を出射する出射面として機能する。
【００２２】
光学シート２６としては、導光板２２の第１主平面２２ａ側に配置された第１光学シート２６Ａと、導光板２２の第２主平面２２ｂ側に配置された第２光学シート２６Ｂと、が備えられている。第１光学シート２６Ａは、例えば、集光シートや拡散シートなどであり、導光板２２から出射した光に対して所定の光学特性を付与して液晶表示パネル２に導く。第２光学シート２６Ｂは、反射シートであり、導光板２２の第２主平面２２ｂから漏れ出た光を再び導光板２２に向けて反射する。
【００２３】
フレーム２３は、主に導光板２２を保持するように構成されている。このようなフレーム２３は、樹脂材料によって形成されている。
【００２４】
液晶表示パネル２と照明ユニット１５とを挟持するケース３０は、第１ケース３１と、第２ケース３２と、によって構成されている。第１ケース３１は、第１主板３１Ａと、第１主板３１Ａを囲むように配置された複数の第１側板３１Ｂと、を有している。また、第２ケース３２は、第２主板３２Ａと、第２主板３２Ａを囲むように配置された複数の第２側板３２Ｂを有している。
【００２５】
ここでは、図１及び図２に示すように、第１ケース３１は、液晶表示パネル２側に配置されている。また、第２ケース３２は、照明ユニット１５側に配置されている。
【００２６】
第１主板３１Ａは、枠状に形成されている。第１主板３１Ａは、第１主板３１Ａから液晶表示パネル側（あるいは第２主板３２Ａ側）に向かって垂直に延出した４つの第１側板３１Ｂ（１、２、３、４）によって囲まれている。さらに、第１主板３１Ａは、液晶表示パネル２の表示領域６を露出させる矩形状の窓部３２Ｗを規定している。
【００２７】
第２主板３２Ａは、略矩形状に形成されている。第２主板３２Ａは、第２主板３２Ａから照明ユニット側（あるいは第１主板３１Ａ側）に向かって垂直に延出した４つの第２側板３２Ｂ（１、２、３、４）によって囲まれている。第２主板３２Ａは、第１主板３１Ａとの間に液晶表示パネル２と照明ユニット１５とを挟むように配置されている。また、第２側板３２Ｂ（１、２、３、４）は、それぞれ第１側板３１Ｂ（１、２、３、４）と対向するように配置されている。図２に示した例では、第１側板３１Ｂ（１、２、３、４）は、第２側板３２Ｂ（１、２、３、４）の外側に位置している。
【００２８】
図３に示すように、少なくとも向かい合う第１側板３１Ｂは、穴部３０Ｈを有している。ここでは、図３及び図４に示すように、第１ケース３１は、それぞれの第１側板３１Ｂ（１、２、３、４）に２つの穴部３０Ｈを有している。
【００２９】
第２側板３２Ｂは、穴部３０Ｈに勘合する勘合部３０Ｔを有している。この勘合部３０Ｔは、第１主板３１Ａから第２主板３２Ａに向かう方向Ｄ１に延びた舌状に形成されている。それぞれの第２側板３２Ｂ（１、２、３、４）は、穴部３０Ｈに対応した位置に２つの勘合部３０Ｔを有している。
【００３０】
図５乃至図７に示した例では、勘合部３０Ｔは、第１主板３１Ａから第２主板３２Ａに向かう方向Ｄ１に延びた舌状体を第２側板３２Ｂから切り起こすことによって形成されている。つまり、勘合部３０Ｔは、第２側板３２Ｂの面内において方向Ｄ１に延びた２つの線Ｌ１及びＬ２に沿って切れ目を入れ、２つの線Ｌ１及びＬ２の第２主板３２Ａ側の端部を接続する線Ｌ３に沿って切れ目を入れ、ケース３０の外側に向かって、Ｕ字状に切り起こしたものである。つまり、勘合部３０Ｔは、第２側板３２Ｂから切り起こされているため、勘合部３０Ｔの方向Ｄ１に沿った２辺と、その２辺を接続する第２主板３２Ａ側の辺とは、第２側板３２Ｂと接続されていない。ここでは、第１側板３１Ｂが第２側板３２Ｂより外側に配置されており、勘合部３０Ｔは、穴部３０Ｈに向かって切り起こされ、穴部３０Ｈと勘合している。
【００３１】
このような構成において、図８に示すように、液晶表示装置１がその厚み方向に衝撃を受け、第１ケース３１と第２ケース３２とが離れる方向に力を受けた際、穴部３０Ｈのエッジ３０Ｈａが第２側板３２Ｂと勘合部３０Ｔとの間の隙間に嵌り込む。このため、第１ケース３１と第２ケース３２とが水平方向にずれても、勘合部３０Ｔが穴部３０Ｈからはずれてしまうのを防ぐことができる。つまり、第１ケース３１と第２ケース３２とがはずれてしまうのを防ぐことが可能となる。したがって、液晶表示パネル２と照明ユニット１５とを強固に固定することが可能となる。
【００３２】
図９及び図１０に示した例では、勘合部３０Ｔは、第２主板３２Ａから第１主板３１Ａに向かう方向Ｄ２に延びた舌状体を第１主板３１Ａから第２主板３２Ａに向かう方向Ｄ１に折り返したものである。勘合部３０Ｔは、例えば、第２側板３２Ｂの端辺から方向Ｄ２に延びた延長面である舌状体を第２側板３２Ｂの端辺に沿って折り返すことによって形成可能である。また、勘合部３０Ｔは、第２側板３２Ｂの端辺から方向Ｄ１に延びた２つ線に沿って切れ目を入れ、２つの線の切れ目に挟まれた面である舌状体を折り返すことによっても形成可能である。つまり、勘合部３０Ｔは、第２側板３２Ｂを折り返しているので、勘合部３０Ｔの方向Ｄ１に沿った２辺と、その２辺を接続する第２主板３２Ａ側の辺とは、第２側板３２Ｂと接続されていない。ここでは、第１側板３１Ｂは、第２側板３２Ｂより外側に配置されている。勘合部３０Ｔは、穴部３０Ｈで折り返され、穴部３０Ｈと勘合している。
【００３３】
このような構成において、図１１に示すように、液晶表示装置１がその厚み方向に衝撃を受け、第１ケース３１と第２ケース３２とが離れる方向に力を受けた際、穴部３０Ｈのエッジ３０Ｈａが第２側板３２Ｂと勘合部３０Ｔとの間に嵌まり込む。特に、この構成例の場合、エッジ３０Ｈａを含む第１側板３１Ｂは、第２側板３２Ｂと勘合部３０Ｔとの間に挟持される。このため、先に示した構成例よりも液晶表示パネル２と照明ユニット１５とをさらに強固に固定することが可能となる。
【００３４】
第１ケース３１及び第２ケース３２は、金属材料、例えば、ステンレスであることが望ましい。すなわち、液晶表示装置１が衝撃を受けたときに、勘合部３０Ｔの先端部が穴部３０Ｈより外側に向かって突出するように弾性変形しやすく、穴部３０Ｈのエッジ３０Ｈａが第２側板３２Ｂと勘合部３０Ｔとの間に容易に入り込むことが可能となる。
【００３５】
また、勘合部３０Ｔの先端部は、穴部３０Ｈから外側に向かって突出していることが望ましい。すなわち、勘合部３０Ｔと第２側板３２Ｂとの間の距離が大きくなり、穴部３０Ｈのエッジ３０Ｈａが第２側板３２Ｂと勘合部３０Ｔとの間に容易に入り込むことが可能となる。
【００３６】
また、向かい合う第１側板３１Ｂは、それぞれ異なる数の穴部３０Ｈを有しても良いが、それぞれ同数の穴部３０Ｈを有していることがより望ましい。向かい合う第１側板３１Ｂがそれぞれ同数の穴部３０Ｈを有することにより、液晶表示装置１を固定する力が液晶表示装置１に均等にかかり、液晶表示パネル２と照明ユニット１５とをより安定して固定することが可能となる。
【００３７】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】図１は、この発明の一実施の形態に係る液晶表示装置の構造を概略的に示す分解斜視図である。
【図２】図２は、図１に示した液晶表示装置の構造を概略的に示す断面図である。
【図３】図３は、第１ケース及び第２ケースを備えた液晶表示装置の構造を概略的に示す斜視図である。
【図４】図４は、図３に示した第１ケースの構造を概略的に示す斜視図である。
【図５】図５は、図３に示した第２ケースの構造を概略的に示す斜視図である。
【図６】図６は、図３に示した領域Ａを拡大し、穴部及び勘合部の構造を概略的に示す斜視図である。
【図７】図７は、図６に示した穴部と勘合部の構造を概略的に示す断面図である。
【図８】図８は、液晶表示装置が衝撃を受けたときの図７に示した穴部及び勘合部の構造を概略的に示す断面図である。
【図９】図９は、穴部及び勘合部の他の構造を概略的に示す斜視図である。
【図１０】図１０は、図９に示した穴部及び勘合部の構造を概略的に示す断面図である。
【図１１】図１１は、液晶表示装置が衝撃を受けたときの図１０に示した穴部及び勘合部の構造を概略的に示す断面図である。
【符号の説明】
【００３９】
２…液晶表示パネル  １５…照明ユニット  ３０…ケース  ３１…第１ケース  ３１Ａ…第１主板  ３１Ｂ…第１側板  ３２…第２ケース  ３２Ａ…第２主板  ３２Ｂ…第２側板  ３０Ｈ…穴部  ３０Ｔ…勘合部
【図１】
2010204557.tif 000003
【図２】
2010204557.tif 000004
【図３】
2010204557.tif 000005
【図４】
2010204557.tif 000006
【図５】
2010204557.tif 000007
【図６】
2010204557.tif 000008
【図７】
2010204557.tif 000009
【図８】
2010204557.tif 000010
【図９】
2010204557.tif 000011
【図１０】
2010204557.tif 000012
【図１１】
2010204557.tif 000013